(57)【要約】【課題】  テープの引き出し、切断が容易でテープが汚れにくく、特に医療現場で最適なテープホルダの提供を目的とする。【解決手段】  テープロールＴＲを収容するテープケース１１と、このテープケース内でテープロールＴＲを回転自在に支持する支持軸１２と、テープケース１１に回動自在かつ着脱自在に取り付けられたカバー１３と、引き出し口１４に形成され、テープを切断するためのカッティングダイ１５と、カバー１３に形成されたカッタ１６と、テープロールＴＲから引き出されたテープと接触してテープの途中部位を支持するテープ支持部１７と、このテープ支持部１７とカッティングダイ１５との間に形成されテープの下方に指先を挿入してテープの前端部分を摘みやすくする空間部１８とを有する。【選択図】  図１
2008120594.tif 000002
【特許請求の範囲】
【請求項１】
テープロールからテープを引き出し、切断して所定長さのテープ切断片を得るテープホルダにおいて、
前記テープロールを収容するテープケースと、
このテープケース内に設けられ、前記テープロールを回転自在に支持する支持軸と、
前記テープケースに回動自在かつ着脱自在に取り付けられたカバーと、
前記テープケースの一部に形成され、前記カバーの回動動作にともなって開閉されるとともに、前記テープロールからテープを引き出すための引き出し口と、
前記引き出し口に形成され、前記テープを切断するためのカッティングダイと、
前記カバーに形成され、前記カバーの閉動により前記カッティングダイと協働して前記テープを切断するカッタと、
前記支持軸に支持された前記テープロールと前記カッティングダイとの間に形成され、前記テープロールから引き出された前記テープと接触して前記テープの途中部位を支持するテープ支持部と、
このテープ支持部と前記カッティングダイとの間に形成され、前記テープ支持部に支持された前記テープの下方に指先を挿入して前記テープの前端部分を摘みやすくするための空間部と、
を有することを特徴とするテープホルダ。
【請求項２】
前記テープロールを支持する支持軸が、その両端に、指先を挿入可能又は引っ掛け可能な孔を有することを特徴とする請求項１に記載のテープホルダ。
【請求項３】
前記カッタが、三角形状に形成された少なくとも一つの山刃と、この山刃の基部両側に形成された円弧状の谷刃とを有することを特徴とする請求項１又は２に記載のテープホルダ。
【請求項４】
前記テープケースの内側に面する前記カッティングダイの一面が、前記カッタの軌道と同心の円弧面として形成されていることを特徴とする請求項１〜３のいずれかに記載のテープホルダ。
【請求項５】
前記テープ支持部が、前記テープの幅と同一幅又は前記テープよりも広幅の上面を有する支持部本体と、この支持部本体と前記カッティングダイとの間に形成され、その上面が前記支持部本体の前記上面よりも細幅に形成されたリブとを有し、前記リブの両側に前記空間部を形成したことを特徴とする請求項１〜４のいずれかに記載のテープホルダ。
【請求項６】
前記支持部本体の前記上面が、前記テープの幅よりも広幅に形成されていることを特徴とする請求項５に記載のテープホルダ。
【請求項７】
前記テープと接触する前記テープ支持部の上面が、前記テープロールの回転中心と前記カッティングダイによるテープカット位置とを結んだ線よりも偏心して位置していることを特徴とする請求項１〜６のいずれかに記載のテープホルダ。
【発明の詳細な説明】
【技術分野】
【０００１】
本発明は、主として粘着テープを保持するテープホルダに関し、特に、携行に適した手持ち式のテープホルダに関する。
【背景技術】
【０００２】
例えば、病院等の医療現場においては、患部の保護やカテーテル等の医療用器具を皮膚に固定するために、粘着テープである絆創膏が用いられている。
絆創膏のような粘着テープのテープロールを保持し、必要に応じてテープを引き出して所定長さのテープ切断片を得る手持ち式のテープホルダとしては、種々のものが市販されている（特許文献１〜４参照）。
【０００３】
しかし、これら従来のテープホルダは、医療現場専用のものではなく、看護師等の医療従事者が常時携行するには不便で、テープも引き出しにくく、テープの切断もしにくいなどの問題がある。
そのため、医療の現場においては、テープホルダを用いず、前記医療従事者が絆創膏のテープロールを剥き出しで持ち運び、必要に応じて所定長さの切断片を指で千切るか、鋏を使って切断しているのが現状である。このような使用状況では、前記医療従事者の作業効率が悪くなる上、絆創膏に埃や雑菌が付着するおそれがあり非衛生的である。そのため、医業現場においては、テープに汚れが付着しにくく、かつ、携行に便利で、必要に応じて簡単にテープの切断片が得られるテープホルダの改良が求められている。また、医療現場に限らず、事務用や産業用，工業用の各種テープにおいても、このようなテープホルダの改良が求められている。
【特許文献１】特開２００５−１７９０４７号公報
【特許文献２】特開２００４−３４５７６７号公報
【特許文献３】特開平１０−７３０９号公報
【特許文献４】特開平１１−１９３１７０号公報
【発明の開示】
【発明が解決しようとする課題】
【０００４】
本発明は上記の問題点及び要求に鑑みてなされたもので、携行に便利でテープの引き出し、切断及び次回使用の準備が容易で、テープが汚れにくく、特に医療現場で最適なテープホルダの提供を目的とする。
【課題を解決するための手段】
【０００５】
本発明の目的を達成するために、請求項１に記載の発明は、テープロールからテープを引き出し、切断して所定長さのテープ切断片を得るテープホルダにおいて、前記テープロールを収容するテープケースと、このテープケース内に設けられ、前記テープロールを回転自在に支持する支持軸と、前記テープケースに回動自在かつ着脱自在に取り付けられたカバーと、前記テープケースの一部に形成され、前記カバーの回動動作にともなって開閉されるとともに、前記テープロールからテープを引き出すための引き出し口と、前記引き出し口に形成され、前記テープを切断するためのカッティングダイと、前記カバーに形成され、前記カバーの閉動により前記カッティングダイと協働して前記テープを切断するカッタと、前記支持軸に支持された前記テープロールと前記カッティングダイとの間に形成され、前記テープロールから引き出された前記テープと接触して前記テープの途中部位を支持するテープ支持部と、このテープ支持部と前記カッティングダイとの間に形成され、前記テープ支持部に支持された前記テープの下方に指を挿入して前記テープの前端部分を摘みやすくするための空間部とを有するテープホルダとしてある。
【０００６】
この構成によれば、テープロールから引き出されたテープは、テープ支持部に支持された状態でその先端がカッティングダイとカッタとで切断される。切断された所定長さのテープ切断片は、テープホルダから取り出されて所定の用途に供され、テープの前端部分はテープ支持部に支持された状態でテープホルダ内に残存する。この際、切断と同時にカバーが閉じられてテープケースを密閉状態にするので、埃等がテープに付着することによる汚染を効果的に防止できる。また、テープの前端部分は、テープ支持部に支持された状態で保持されるので、次回使用の際も、テープ支持部とカッティングダイとの間の空間部を利用して容易にテープの前端を摘み、次回使用のテープを引き出すことができる。
【０００７】
請求項２に記載の発明は、前記テープロールを支持する支持軸が、その両端に、指先を挿入又は引っ掛け可能な孔を有するテープホルダである。
前記孔としては、支持軸の一端から他端まで貫通する貫通孔であってもよいし、指先を引っ掛けることができる窪み状の孔であってもよい。このようにすることで、前記孔に指を引っ掛けてテープホルダを保持することが容易になる。
請求項３に記載の発明は、前記カッタが、三角形状に形成された少なくとも一つの山刃と、この山刃の基部両側に形成された円弧状の谷刃とを有するテープホルダである。
山刃の数は一つであってもよいが、幅広のテープの場合は二つ以上としてもよい。二つ以上の場合には、山刃と山刃との間にも谷刃を設ける。この構成によれば、テープは山刃と谷刃とによって切断される。この構成では、山刃だけの場合に比べて小さなカッタの動作でテープを切断することができるという利点がある。また、山刃だけの場合に比べて、山刃の高さを小さくすることができるので、山刃の剛性を高く保つことができ、カッタの寿命を長くすることができるという利点がある。
【０００８】
請求項４に記載の発明は、前記テープケースの内側に面する前記カッティングダイの一面が、前記カッタの軌道と同心の円弧面として形成されているテープホルダである。
このようにすれば、テープを切断する際にカッティングダイとカッタとの隙間をほとんど０にすることができ、テープを切断後にも、カッタがカッティングダイと干渉することなく、円弧面に沿ってスムースに移動することができる。
請求項５に記載の発明は、前記テープ支持部が、前記テープの幅と同一幅又は前記テープよりも広幅の上面を有する支持部本体と、この支持部本体と前記カッティングダイとの間に形成され、その上面が前記支持部本体の前記上面よりも細幅に形成されたリブとを有し、前記リブの両側に前記空間部を形成したテープホルダである。
この場合、請求項６に記載するように、前記支持部本体の前記上面を、前記テープの幅よりも広幅に形成するとよい。
このようにすることで、テープは支持部本体の上面とリブの上面に軽く貼り付いた状態で支持される。そのため、切断後にテープの前端部分がテープケース内で移動したり、絡まったりする不都合が回避できる。
【０００９】
請求項７に記載の発明は、前記テープと接触する前記テープ支持部の上面が、前記テープロールの回転中心と前記カッティングダイによるテープカット位置とを結んだ線よりも偏心して位置しているテープホルダである。
具体的には、前記線よりも上方に偏心しているとよい。このようにすることで、テープ切断の際には必ずテープがテープ支持部の上面に接触し、テープ支持部によって確実に支持された状態で、テープを安定的に切断することができる。また、テープ切断後も、確実にテープ支持部でテープを支持させることができる。
【発明の効果】
【００１０】
本発明によれば、携行に便利でテープの引き出し、カット、次回使用が容易で、特に医療現場に最適なテープホルダを得ることができる。
【発明を実施するための最良の形態】
【００１１】
以下、本発明のテープホルダの好適な実施形態を、図面を参照しながら詳細に説明する。
図１は、本発明のテープホルダの一実施形態にかかり、その全体構成を説明する斜視図、図２及び図３は、図１のカバーを閉じた状態におけるテープホルダの六面図である。
なお、以下の説明における「前後」方向、「左右」方向及び「上下」方向を、図１中矢印で示す。
【００１２】
図１〜図３に示すように、テープホルダ１は、絆創膏やセロハンテープ等の粘着テープをロール状に巻回したテープロール（図中仮想線ＴＲで示す）を収容するテープケース１１と、このテープケース１１内に設けられ、テープロールＴＲを回転自在に支持する支持軸１２と、テープケース１１に対して着脱自在に取り付けられるとともに、支持軸１２と同心の軸を中心に回動することで上下に開閉するカバー１３と、テープケース１１の前面に開口形成され、カバー１３によって開閉されるとともに、前記テープロールからテープを引き出すための引き出し口１４と、この引き出し口１４の前方に設けられ、引き出し口１４から引き出したテープを所望長さで切断するためのカッティングダイ１５と、カバー１３の前端に形成され、カバー１３を閉動させることでカッティングダイ１５との協働により前記テープを切断するカッタ１６と、支持軸１２に支持されたテープロールＴＲとカッティングダイ１５との間に形成され、テープロールＴＲから引き出されたテープの途中部位を支持するテープ支持部１７と、このテープ支持部１７とカッティングダイ１５との間に形成され、テープ支持部１７に支持されたテープの下方に指を差し込んで前記テープの前端部分を摘みやすくするための空間部１８とを有している。
【００１３】
テープケース１１の前方下面には、指を引っかけてテープホルダ１を持ちやすくするための窪み１１１が形成されている。また、カバー１３の背部にも、指を引っ掛けてカバー１３の開閉をしやすくするための凹凸１３０ａが前後方向に複数（図示の例では三つ）形成されている。
また、カバー１３のカッタ１６の基部には、カッタ１６でテープを切断した後にカッティングダイ１５に当接して、カバー１３がそれ以上回動しないようにする当接部１６１が形成されている。
なお、この当接部１６１は、カッタ１６で切断されたテープの切断片の一部を、カッティングダイ１５に押し付けて貼り付けたり、カッティングダイ１５との間で挟持したりして、テープの切断片がテープホルダ１から脱落しないようにする役割も担っている。
【００１４】
支持軸１２は、テープロールの芯孔の内径と同一の外径又は若干小さい外径を有するように形成され、かつ、テープケース１１の一方の側面から他方の側面まで貫通する貫通孔１２１を有する筒状に形成されている。貫通孔１２１の大きさは、指先でテープホルダ１を保持することができるように、看護師等の利用者の指が挿入できるか、又は指先を引っ掛けることができる程度ものであればよい。
【００１５】
テープ支持部１７は、テープロールＴＲから引き出されたテープの幅と同一の幅若しくはこれよりも若干広幅の支持部本体１７１と、この支持部本体１７１からカッティングダイ１５の下方まで延びる細幅のリブ１７２とを有していて、引き出し口１４の前方から見たときに、略Ｔ字状の形をなすように形成されている。指を差し込んでテープを摘みやすくするための空間部１８は、このリブ１７２の両側に形成されている。
また、リブ１７２の上面は、カッティングダイ１５の下方から支持部本体１７１の上面まで、円弧状の連続面として形成されている。
【００１６】
図４は、テープ支持部１７とテープロールＴＲ及びこのテープロールＴＲから引き出されたテープＴとの関係を説明するテープケース１１の断面側面図である。
支持部本体１７１の上面は、支持軸１２の回転中心Ｏとカッティングダイ１５におけるテープＴの切断位置（カッティングポイントＣＰと称する）とを結ぶ直線Ｉよりも上方に位置している。好ましくは、この直線Ｉと、カッティングポイントＣＰを通りテープロールＴＲの外周円と接する二つの接線のうち、テープロールＴＲの巻き出し回転方向（図中矢印Ａで示す方向）の上流側の接線IIとの間に位置させる。
【００１７】
このような位置に支持部本体１７１の上面を位置させることで、テープロールＴＲから引き出されたテープＴは、テープ切断の際に、必ずその粘着面が支持部本体１７１の上面に接触して貼り付く。そのため、引き出したテープＴを安定させることができ、カッタ１６によるテープＴの切断が容易になるという利点がある。
なお、所望長さで切断されたテープＴの切断片は、テープホルダ１（図１参照）から取り出されて、例えば医療現場での患部の保護やカテーテル等の固定の用に供され、テープホルダ１の中に残ったテープＴの前端部分は、支持部本体１７１及びリブ１７２の上面に軽く貼り付いた状態で保持される。そのため、テープホルダ１が傾斜したり振動が加わったりしても、テープＴの前端が移動したり、絡まったりする不都合が生じ難いという利点がある。
【００１８】
図５は、この実施形態のテープホルダ１の分解斜視図である。
テープケース１１及びカバー１３は、ポリエチレンテレフタレート（ＰＥＴ），ポリプロピレン（ＰＰ），ＡＢＳ等のプラスチック材料で形成するのが好ましいが、金属や木材等の他の材料で形成することも可能である。また、テープケース１１とカバー１３は同一材質で形成されていてもよいし異なる材質で形成されていてもよい。
テープケース１１は、テープロールＴＲを挿入しやすくするために、二つのテープケース分割体１１ａ，１１ｂからなる左右二分割形となっている。
なお、図５においては、テープケース分割体１１ａ，１１ｂのそれぞれに含まれる各部の分割体のそれぞれを、符号の末尾にａ，ｂを付して示している。例えば、支持軸１２の分割体（支持軸分割体）は符号１２ａ，１２ｂで、カッティングダイ１５の分割体（カッティングダイ分割体）は符号１５ａ，１５ｂで表している。
【００１９】
カバー１３は、支持軸１２に向けて延びる左右二つの脚１３１，１３１を有している。この脚１３１，１３１の下方には係合孔１３２，１３２が同軸上に形成されている。一方、テープケース１１の支持軸１２の両端は、テープケース１１の両側から僅かに突出している。そして、脚１３１，１３１の弾性変形により係合孔１３２，１３２が支持軸１２の両端に嵌め込まれることで、テープケース１１にカバー１３が回動自在に取り付けられる。
なお、図示するように、脚１３１，１３１の下端に傾斜面１３３を形成することで、係合孔１３２，１３２を支持軸１２の両端に嵌め込む際に脚１３１，１３１を弾性変形させやすくなり、テープケース１１へのカバー１３の取り付けを容易にすることができる。
また、カバー１３又はテープケース１１にばねを設け、このばねの作用によってカバー１３が常閉方向に付勢されるようにしてもよい。さらに、例えば、カバー１３又はテープケース１１に突起を設け、テープケース１１又はカバー１３に前記突起と係合する係合溝又は係合孔を設けて、開いた位置又は閉じた位置でカバーを軽くロックできるようにしてもよい。
【００２０】
この実施形態のテープホルダ１において、テープロールＴＲをテープホルダ１に挿入して装着するには、まず、脚１３１，１３１を弾性変形させて係合孔１３２，１３２と支持軸１２との嵌合状態を解除させ、カバー１３をテープケース１１から取り外す。しかる後、テープケース１１を左右に引っ張って二つのテープケース分割体１１ａ，１１ｂに分割し、二つのテープケース分割体１１ａ，１１ｂの間にテープロールＴＲを挿入する。そして、一方の支持軸分割体（例えば１２ｂ）にテープロールＴＲの芯孔を係合させた後、二つのテープケース分割体１１ａ，１１ｂを互いに嵌め込んでテープケース１１を組み立てる。最後に、カバー１３をテープケース１１に取り付ける。
【００２１】
次に、図６及び図７を参照しつつカッタ１６の詳細を説明する。
図６はカッタ１６の詳細を説明する図で、（ａ）はカッタ１６を前面から見た部分拡大図、（ｂ）はカッタの刃の断面側面図、（ｃ）は、カッタとカッティングダイとの関係を示す側面断面図である。
カッタ１６は、図６（ａ）に示すように、前面視して三角状の山刃１６２と、この山刃１６２の裾部の両側に形成された凹形円弧状の谷刃１６３，１６３とから構成されている。
【００２２】
山刃１６２の最大幅Ｈは、切断しようとするテープＴの幅（図中、仮想線で示す）より若干小さく、従って、テープＴの切断は、山刃１６２と二つの谷刃１６３，１６３とによって行われることになる。
このように、山刃１６２と谷刃１６３，１６３とを組み合わせることで、山刃だけの場合よりも短いストロークでテープＴを切断することができるという利点がある。また、山刃だけの場合に比べて、山刃の高さを小さくすることができるので、山刃の剛性を高く保つことができ、カッタの寿命を長くすることができるという利点がある。
【００２３】
なお、この実施形態では、カッタ１６は、一つの山刃１６２と二つの谷刃１６３，１６３とから構成されているが、テープ幅が大きいような場合には、二つ又はそれ以上の山刃１６２と、山刃１６２，１６２間及び山刃１６２の両側の複数の谷刃１６２とからカッタ１６を構成してもよい。
図６（ｂ）は、山刃１６２における断面Ｉの形状及び谷刃１６３，１６３における断面IIの形状を示したものである。
図示するように、山刃１６２及び谷刃１６３，１６３の断面形状は、刃先から基部に向かって次第に肉厚が大きくなる略三角形状に形成されている。このようにすることで、山刃１６２及び谷刃１６３，１６３の剛性を大きくすることができ、カッタ１６の寿命を長くすることができる。
【００２４】
図６（ｃ）に示すように、テープケース１１の内側に面するカッティングダイ１５の一面は、カバー１３の開閉にともなうカッタ１６の移動軌跡Ｃに沿った部分円弧面１５２として形成されている。そして、この円弧面１５２の上端に、カッティングポイントＣＰが設けられている。カッタ１６は、円弧状の軌跡Ｃに沿ってカッティングポイントＣＰに向けて図中の位置(i)から(ii)に下降し、カッティングポイントＣＰでテープＴを切断した後、当接部１６１がカッティングダイ１５の上面に当接する位置(iii)まで、円弧面１５２に沿って下降する。
【００２５】
図７は、上記構成のカッタ１６及びカッティングダイ１５によるテープ切断の手順を説明する部分拡大断面図である。
図７（ａ）に示すように、カバー１３を開いた状態でテープＴをテープロールＴＲから引き出す。そして、所望長さ引き出したところで、テープＴをカッティングダイ１５の上面に接触させる。なお、このとき、テープロールＴＲ側においてもテープＴの粘着面が支持部本体１７１の上面に接触し、軽く貼り付けられる。
【００２６】
図７（ｂ）に示すように、カバー１３を閉動させてカッタ１６の先端（山刃１６２の先端をテープＴに突き当てる。さらにカバー１３を閉動させることで、山刃１６２及び谷刃１６３とカッティングポイントＣＰとによってテープＴが切断される。このとき、カッティングダイ１５の上面から浮き上がっているテープＴがカッタ１６によって押し下げられて、テープＴは支持部本体１７１の上面だけでなく、リブ１７２の上面の一部にも接触することになる。
【００２７】
図７（ｃ）に示すように、テープＴを切断したカッタ１６は、円弧面１５２に沿って下降し、当接部１６１がカッティングダイ１５に当接したところで停止する。
このとき、切断されたテープの切断片Ｔ′は、当接部１６１とカッティングダイ１５とに挟持された状態で保持される。また、テープホルダ１内に残ったテープＴは、カッティングポイントＣＰから垂れ下がってリブ１７２の上面に軽く貼り付く。
【００２８】
そのため、図７（ｄ）に示すように、カバー１３から使用者が手を離しても、テープＴは支持部本体１７１の上面とリブ１７２の上面とに軽く貼り付いているので、テープホルダ１内でテープＴの前端が移動することはない。そのため、次回使用の際にも、空間部１８，１８に指を差し込むだけで、簡単にテープＴを引き出すことができる。
【００２９】
本発明の好適な実施形態について説明したが、本発明は上記の実施形態に限定されるものではない。
例えば、上記の説明では、テープケース１１は左右分割形としたが、テープロールＴＲをテープケース１１内に挿入しやすくするためであれば、テープケース１１の形態は上記に限らず、例えば、テープケース１１の背部にテープロール挿入用の開口を形成し、この開口をカバー１３の取り付けによって塞ぐようにしてもよい。
【００３０】
また、上記の説明では、支持軸１２の一端から他端まで貫通孔１２１を形成しているが、利用者の指先を引っ掛けることができるのであれば、このような貫通孔に限らず、有底孔であってもよいし窪み状の孔であってもよい。
さらに、支持部本体１７１は、テープよりも若干広めに形成するとして説明したが、テープよりも十分に広幅に形成してもよく、支持部本体１７１又はその上面の両側を、支持軸１２又はその近傍まで延長してもよい。
【００３１】
また、上記の説明においてリブ１７２の上面は、支持部本体１７１の上面と連続していて、かつ、凸状の円弧面として形成されているものとして説明したが、リブ１７２はその上面がテープの粘着面に接触して軽く貼り付くものであればよく、必ずしも上記のような形態である必要はない。例えば、リブ１７２の上面は、凹凸状であってもよいし、階段状であってもよく、また、支持部本体１７１の上面と連続していなくてもよい。
さらに、支持部本体１７１の上面は線Ｉの上方にあればよく、上記の実施形態のように必ずしも線Ｉと線IIとの間にある必要はない。カバー１３の開閉やその他に支障が無ければ、線IIよりも上方にあってもよい。
【産業上の利用可能性】
【００３２】
本発明は、事務用や医療用、産業用，工業用に用いられる各種粘着テープ（表裏両面に粘着材を塗布したものも含む）に適用が可能であるほか、粘着材を塗布していない紙テープや樹脂フィルムテープにも適用が可能である。この場合は、テープ支持部１７の上面に粘着剤を塗布等するとよい。
【図面の簡単な説明】
【００３３】
【図１】本発明のテープホルダの一実施形態にかかり、その全体構成を説明する斜視図である。
【図２】カバーを閉じた状態における図１のテープホルダの六面図にかかり、（ａ）はその右側面図、（ｂ）はその左側面図、（ｃ）はその前面図である。
【図３】カバーを閉じた状態における図１のテープホルダの六面図にかかり、その（ａ）はその後面図、（ｂ）はその上面図、(ｃ)はその下面図である。
【図４】テープ支持部とテープロール及びこのテープロールから引き出されたテープＴとの関係を説明するテープケースの断面側面図である。
【図５】テープホルダの分解斜視図である。
【図６】カッタの詳細を説明する図で、（ａ）はカッタを前面から見た部分拡大図、（ｂ）はカッタの刃の断面側面図、（ｃ）は、カッタとカッティングダイとの関係を示す側面断面図である。
【図７】カッタ及びカッティングダイによるテープ切断の手順を説明する部分拡大断面図である。
【符号の説明】
【００３４】
１        テープホルダ
１１      テープケース
１２      支持軸
１３      カバー
１４      引き出し口
１５      カッティングダイ
１６      カッタ
１７      テープ支持部
１８      空間部
【図１】
2008120594.tif 000003
【図２】
2008120594.tif 000004
【図３】
2008120594.tif 000005
【図４】
2008120594.tif 000006
【図５】
2008120594.tif 000007
【図６】
2008120594.tif 000008
【図７】
2008120594.tif 000009